(57)【要約】【課題】電子線がろう材に直接照射されない構成とすることで、放射線発生管内部の真空度の低下を抑制し、安定して放射線量を発生させることができ、長時間連続使用可能とする放射線発生装置及びそれを用いた放射線撮影装置を提供する。【解決手段】両端が開口した電子通過路８を有する放射線遮蔽部材７を備え、電子通過路８の一端から電子が入射し、電子通過路８の他端側に設けられたターゲット８に電子を照射して放射線を発生させる放射線発生装置であって、電子通過路８の他端側周囲の放射線遮蔽部材７に設けられたターゲット支持面７ｂに、ターゲット９の電子が照射される側の面の周縁がろう接され、電子通過路８の他端側の開口部における断面の径が、電子通過路８の一端における断面の径よりも大きいことを特徴とする放射線発生装置。【選択図】図１
2013051153.tif 000002
【特許請求の範囲】
【請求項１】
両端が開口した電子通過路を有する放射線遮蔽部材を備え、
前記電子通過路の一端から電子が入射し、前記電子通過路の他端側に設けられたターゲットに該電子を照射して放射線を発生させる放射線発生装置であって、
前記電子通過路の前記他端側周囲の前記放射線遮蔽部材に設けられたターゲット支持面に、前記ターゲットの前記電子が照射される側の面の周縁がろう接され、
前記電子通過路の前記他端側の開口部における断面の径が、前記電子通過路の前記一端における断面の径よりも大きいことを特徴とする放射線発生装置。
【請求項２】
両端が開口した電子通過路を有する放射線遮蔽部材を備え、
前記電子通過路の一端から電子が入射し、前記電子通過路の他端側に設けられたターゲットに該電子を照射して放射線を発生させる放射線発生装置であって、
前記電子通過路の前記他端側周囲の前記放射線遮蔽部材に設けられたターゲット支持面に、前記ターゲットの前記電子が照射される側の面の周縁がろう接され、
前記ターゲット支持面に、該ターゲット支持面に沿って環状の溝が形成されていることを特徴とする放射線発生装置。
【請求項３】
前記電子通過路の断面の径が、前記ターゲット支持面から前記電子通過路の前記一端に向かって段差を伴って減少することを特徴とする請求項１に記載の放射線発生装置。
【請求項４】
前記電子通過路の断面の径が、前記ターゲット支持面から前記電子通過路の前記一端まで連続的に減少することを特徴とする請求項１に記載の放射線発生装置。
【請求項５】
前記電子通過路の断面の径が、前記ターゲット支持面から前記電子通過路の前記一端まで段差を伴って連続的に減少することを特徴とする請求項１に記載の放射線発生装置。
【請求項６】
前記ターゲット支持面に形成された前記環状の溝の断面形状が、矩形状又は勾配を有する形状であることを特徴とする請求項２に記載の放射線発生装置。
【請求項７】
請求項１乃至６のいずれか１項に記載の放射線発生装置と、前記放射線発生装置から放出され被検体を透過した放射線を検出する放射線検出器と、を備えることを特徴とする放射線撮影装置。
【発明の詳細な説明】
【技術分野】
【０００１】
本発明は、ターゲットに電子を照射することで放射線を発生させ、Ｘ線撮影等に適用できる放射線発生装置及びそれを用いた放射線撮影装置に関する。
【背景技術】
【０００２】
放射線源として用いられる放射線発生装置では、真空維持された放射線発生管（放射線放出源）内部で、電子源から電子を放出させ、タングステン等の原子番号が大きい金属材料で構成されるターゲットに電子を衝突させることにより放射線を発生させている。
【０００３】
ところで、電子源から電子を効率良く発生させ、放射線発生装置の長寿命化を図るためには、放射線発生管内部を長期間にわたって真空に維持する必要がある。特許文献１には、透過型ターゲットを用いた放射線発生装置において、ターゲットの周囲を放射線発生管（Ｘ線管）のターゲット保持リングにろう付けすることによって放射線発生管内部を真空に維持する技術が開示されている。
【０００４】
また、放射線発生装置では、ターゲットで発生した放射線が全方向へ発せられるため、放射線遮蔽部材を設けることにより撮影に必要となる放射線以外の不要な放射線を遮蔽するのが一般的である。特許文献２には、放射線遮蔽部材を透過型のターゲットの電子入射側と放射線取り出し側に配置した構造が提案されている。
【先行技術文献】
【特許文献】
【０００５】
【特許文献１】特開２０００−３０６５３３号公報
【特許文献２】特開２００７−２６５９８１号公報
【発明の概要】
【発明が解決しようとする課題】
【０００６】
放射線発生装置の真空維持と不要放射線遮蔽の実現方法として、ターゲット周囲に放射線遮蔽部材で電子通過路、放射線通過路を形成することで不要放射線を遮蔽し、放射線遮蔽部材にターゲットをろう接することで放射線発生管を真空封止する方法が考えられる。
【０００７】
しかしながら、放射線遮蔽部材にターゲットをろう付けによって接合し真空封止しようとすると、余分なろう材が流れ出し、放射線遮蔽部材に設けられた電子通過路の内壁面にまで流れ込むことがある。使用するろう材の量は、放射線遮蔽部材とターゲットの隙間の大きさに合わせて予め決めて用いるが、部品に寸法公差があると、余分なろう材が流れ出すことになる。ろう材が電子通過路の内壁面に流れ込むと、電子線がろう材に直接照射されてしまう可能性がある。ろう材はターゲットや周辺の放射線遮蔽部材に比べて融点が低いため、電子線が照射されると溶融し、放射線発生管内部の真空度が低下しやすい。また、放射線発生管内部の真空度が低下すると電子源から熱電子が発生しにくくなり、取り出せる放射線量が低下し、連続して使用することが難しくなるという問題があった。
【０００８】
そこで、本発明は、電子線がろう材に直接照射されない構成とすることで、放射線発生管内部の真空度の低下を抑制し、安定して放射線量を発生させることができ、長時間連続使用可能とする放射線発生装置及びそれを用いた放射線撮影装置の提供を目的とする。
【課題を解決するための手段】
【０００９】
上記課題を解決するために、本発明は、両端が開口した電子通過路を有する放射線遮蔽部材を備え、
前記電子通過路の一端から電子が入射し、前記電子通過路の他端側に設けられたターゲットに該電子を照射して放射線を発生させる放射線発生装置であって、
前記電子通過路の前記他端側周囲の前記放射線遮蔽部材に設けられたターゲット支持面に、前記ターゲットの前記電子が照射される側の面の周縁がろう接され、
前記電子通過路の前記他端側の開口部における断面の径が、前記電子通過路の前記一端における断面の径よりも大きいことを特徴とする放射線発生装置を提供するものである。
【００１０】
また、本発明は、両端が開口した電子通過路を有する放射線遮蔽部材を備え、
前記電子通過路の一端から電子が入射し、前記電子通過路の他端側に設けられたターゲットに該電子を照射して放射線を発生させる放射線発生装置であって、
前記電子通過路の前記他端側周囲の前記放射線遮蔽部材に設けられたターゲット支持面に、前記ターゲットの前記電子が照射される側の面の周縁がろう接され、
前記ターゲット支持面に、該ターゲット支持面に沿って環状の溝が形成されていることを特徴とする放射線発生装置を提供するものである。
【発明の効果】
【００１１】
本発明によれば、放射線遮蔽部材に設けられた電子通過路の内壁面にろう材が流れ出て付着しても、流れ出たろう材に電子線が直接照射されることがない構成をとる。これにより、流れ出たろう材が、電子線が直接照射されることによって溶融することがないため、放射線発生管内部の真空度の低下を抑制でき、長時間連続使用した場合の放射線量の低下を抑制することができる。
【図面の簡単な説明】
【００１２】
【図１】本発明の放射線発生装置の構成図、及びアノードの一例を示す図である。
【図２】本発明の放射線発生装置に用いられるアノードの他の例を示す図である。
【図３】比較例のアノードを示す図である。
【発明を実施するための形態】
【００１３】
以下、図面を参照して、本発明の放射線発生装置について好適な実施形態を例示的に詳しく説明する。但し、下記実施形態に記載されている構成部材の材質、寸法、形状、相対配置等は、特に記載がない限り、本発明の範囲を限定する趣旨のものではない。
【００１４】
〔第１の実施形態〕
図１を用いて第１の実施形態の放射線発生装置の構成について説明する。図１（ａ）は本実施形態の放射線発生装置の構成例を示す断面図、図１（ｂ）は図１（ａ）のアノードを拡大して表した断面図、図１（ｃ）は図１（ａ）のアノードを放射線取り出し窓側から見たときの平面図である。
【００１５】
放射線発生装置１９は、放射線取り出し窓１８を有する外囲器１７内に、放射線放出源１、駆動電源１６が配置され、外囲器１７内の余空間を絶縁油１５で満たして構成されている。
【００１６】
放射線放出源１は、電子放出源３、アノード１０、ゲッタ１２、真空容器６からなる。
【００１７】
電子放出源３は、電流導入端子４、電子放出部２からなる。電子放出源３の電子放出機構としては、真空容器６の外部から電子放出量を制御可能な電子放出源であれば良く、熱陰極型電子放出源、冷陰極型電子放出源等を適宜適用することが可能である。電子放出源３は、真空容器６を貫通するように配置した電流導入端子４を介して、電子放出量及び電子放出のオン・オフ状態を制御可能なように、真空容器６の外部に配置した駆動電源１６に電気的に接続される。
【００１８】
電子放出部２から放出された電子は、不図示の引き出しグリッド、不図示の加速電極により、１０ｋｅＶ〜２００ｋｅＶ程度のエネルギーを有する電子線５となり、電子放出部２に対向させて配置したターゲット９に、入射可能となっている。引き出しグリッド、加速電極は、熱陰極の電子銃管に内蔵することも可能である。また、電子線の照射スポット位置及び電子線の非点収差の調整の為の補正電極を電子放出源３に付加した上で、外部に配置した不図示の補正回路と接続することも可能である。
【００１９】
アノード１０は、放射線遮蔽部材７と、ターゲット基板９ａとターゲット膜９ｂからなるターゲット９と、で構成される。
【００２０】
ターゲット膜９ｂは、通常、原子番号２６以上の金属材料を用いることができる。より好適には、熱伝導率が大きく融点が高いものほど良い。具体的には、タングステン、モリブデン、クロム、銅、コバルト、鉄、ロジウム、レニウム等の金属材料、又はこれらの合金材料を好適に用いることができる。ターゲット膜９ｂの厚さは、加速電圧によってターゲット膜９ｂへの電子線の浸入深さ即ち放射線の発生領域が異なるため、最適な値は異なるが、１μｍ〜１５μｍである。
【００２１】
ターゲット基板９ａへのターゲット膜９ｂの一体化は、スパッタ、蒸着等によって得ることができる。また、別の方法としては、別途、圧延や研磨により所定の厚さのターゲット膜９ｂの薄膜を作製し、ターゲット基板９ａに高温、高圧下で、拡散接合することにより得ることができる。
【００２２】
ターゲット基板９ａは、放射線の透過性が高く、熱伝導が良く、真空封止に耐える必要がある。例えば、ダイヤモンド、窒化ケイ素、炭化ケイ素、炭化アルミ、窒化アルミ、グラファイト、ベリリウム等を用いることができる。より好ましくは、放射線の透過率がアルミニウムよりも小さく熱伝導率がタングステンよりも大きい、ダイヤモンド、窒化アルミ、窒化ケイ素が望ましい。ターゲット基板９ａの厚さは、上記の機能を満足すれば良く、材料によって異なるが、０．３ｍｍ以上２ｍｍ以下が好ましい。特に、ダイヤモンドは、他の材料に比べて、熱伝導性が極めて大きく、放射線の透過性も高く、真空を保持しやすいため、より優れている。しかし、これらの材料は、温度が上昇するにつれて、熱伝導率の低下が大きいため、ターゲット基板９ａは、できるだけ温度上昇を抑制しておく必要がある。
【００２３】
放射線遮蔽部材７は、両端が開口した電子通過路８を有している。電子通過路８の一端（電子放出源３側の端部の開口部）から電子が入射し、電子通過路８の他端側（電子放出源３と反対側）に設けられたターゲット９に電子が照射されて放射線が発生する。電子通過路８は、ターゲット９よりも電子放出源３側では、電子線５をターゲット膜９ｂの電子線照射領域（放射線発生領域）に導くための通過路になっており、ターゲット９よりも放射線取り出し窓１８側では放射線を外部に放出するための通過路になっている。ターゲット膜９ｂから電子放出源３側へ向かって放射される放射線、ターゲット膜９ｂから放射線取り出し窓１８側へ向かって放射される放射線のうち不要な放射線は、それぞれ電子通過路８の内壁で遮蔽される。電子通過路８は、図１（ｃ）に示すように放射線取り出し窓１８側から見た平面図では円形となっているが、四角や楕円形等適宜、選択することができる。また、放射線遮蔽部材７は、絶縁油１５と接しているため、ターゲット９で発生した熱を絶縁油に伝達し放射線放出源１の外部へ逃がす機能も有している。
【００２４】
放射線遮蔽部材７に用いることができる材料は、３０ｋＶ〜１５０ｋＶで発生する放射線を遮蔽できるものであれば良い。例えば、タングステン、タンタルの他、モリブデン、ジルコニウム、ニオブ等、又はこれらの合金を用いることができる。
【００２５】
放射線遮蔽部材７とターゲット９の接合は、ろう付け等により行うことができる。ろう付けによる接合は、真空容器６の内部を真空状態に維持することが重要である。ろう付けのろう材としては、放射線遮蔽部材７の材料や、耐熱温度等により適宜、選択することができる。例えば、ターゲット基板９ａが特に高温になるような場合には、高融点金属用ろう材として、Ｃｒ−Ｖ系、Ｔｉ−Ｔａ−Ｍｏ系、Ｔｉ−Ｖ−Ｃｒ−Ａｌ系、Ｔｉ−Ｃｒ系、Ｔｉ−Ｚｒ−Ｂｅ系、Ｚｒ−Ｎｂ−Ｂｅ系等を選択できる。真空気密をより重視する場合には、高真空機器用のろう材として、Ａｕ−Ｃｕを主成分とするろう材を用いることができる。他に、ニッケルろう、黄銅ろう、銀ろう、パラジウムろう等を用いることができる。
【００２６】
真空容器６はガラスやセラミックス等で構成することができ、真空容器６の内部は、真空排気（減圧）された内部空間１３となっている。内部空間１３は、電子の平均自由行程として、電子放出源３と放射線を放出するターゲット９ｂ膜の間の距離を、少なくとも電子が飛翔可能なだけの真空度であれば良く、１×１０-4Ｐａ以下の真空度が適用可能である。使用する電子放出源や、動作する温度等を考慮して適宜選択することが可能であり、冷陰極型電子放出源等の場合は、１×１０-6Ｐａ以下の真空度とするのがより好ましい。真空度の維持の為に、ゲッタ１２を内部空間１３に配置するか、もしくは内部空間１３に連通している不図示の補助スペースに設置することも可能である。
【００２７】
以下、図１（ｂ）を用いて、アノード１０の構成を詳細に説明する。アノード１０は、電子通過路８を有する放射線遮蔽部材７と、放射線透過窓を兼ねるターゲット基板９ａと、ターゲット基板９ａの電子放出源３側の表面に配置されたターゲット膜９ｂと、からなる。電子通過路８の他端側周囲（電子入射側の端部とは反対側周囲）の放射線遮蔽部材７にはターゲット支持面７ｂを有するターゲット支持部７ａが設けられている。ターゲット支持面７ｂにターゲット９の電子が照射される側の面の周縁がろう接され、真空容器６の内部が真空維持される。また、本発明では、電子通過路８の電子入射側の端部とは反対側の開口部における断面の径ｄ１が、電子通過路８の電子入射側の端部における断面の径ｄ２よりも大きい構成をとる。図１（ｂ）では、その一例として、ターゲット支持面７ｂから電子通過路８の電子入射側の端部に向かって１つの段差からなるろう材受け部７ｃを設けた構成としている。電子通過路８の断面の径（電子通過路８の内径）は、ターゲット支持面７ｂから電子通過路８の電子入射側の端部に向かって段差を伴って減少している。
【００２８】
ターゲット９と放射線遮蔽部材７のろう付けにあたっては、予め、ターゲット９の周囲に不図示のメタライズ層を設ける。メタライズ層は、例えば、Ｔｉ、Ｚｒ、或いはＨｆから選ばれた少なくとも１種の元素を含んだ化合物を活性金属成分として含むメタライズ組成物粉末と、樹脂結合材や分散媒を添加してペーストを作製する。その後、メタライズする箇所に塗工し、所定の温度で焼成することにより得られる。
【００２９】
次に、ターゲット９の周囲のメタライズした表面に、活性金属ろうを付着させる。例えば、Ｔｉ入り銀銅ろう材を用いることができる。この活性金属ろうを付着させたターゲット９を、予め所定の寸法に形成した放射線遮蔽部材７に設けられたターゲット支持部７ａにセットし、所定の温度、時間で焼成する。この焼成条件は、金属活性ろうの種類によって異なる。前述のＴｉ入り銀銅ろう材の場合、約８５０℃で約１００秒間保持するのが好ましい。
【００３０】
ターゲット９と放射線遮蔽部材７のろう付けによる接合では、真空容器６の内部の真空気密を保つ必要があるため、このろう付けが極めて重要である。このため、理想的にはろう材が焼成時に溶融し、ターゲット９と放射線遮蔽部材７の間に隙間が無く密着できるようになるのが好ましい。しかし、実際のターゲット９や放射線遮蔽部材７、メタライズ層やろう材の厚さにも一定のばらつきが発生してしまうため、少なくとも真空気密を保つためには、ろう材は想定される平均値よりも多く、ターゲット９の周囲に付けなければならない。このため、焼成時にろう材が放射線遮蔽部材７に設けられた電子通過路８の内壁面に沿って流れ出すことがある。
【００３１】
本実施形態では、電子通過路８の電子入射側の端部とは反対側の開口部における断面の径ｄ１を、電子通過路８の電子入射側の端部における断面の径ｄ２よりも大きくしている。また、電子線の径はｄ２よりも小さくするのが一般的である。このため、ターゲット支持面７ｂからろう材が流れて電子通過路８の内壁面に付着したとしても、この付着したろう材に電子線が直接当たるのを抑制できる。
【００３２】
図１（ｂ）の構成では、ｄ１＞ｄ２となるように、ターゲット支持面７ｂから電子通過路８の電子入射側の端部に向かって１つの段差を設けている。このため、ターゲット支持面７ｂからろう材が流れて段差に達したとしても、この段差にろう材が留まるため、電子通過路８の、この段差よりも電子入射側の内壁面にまで流れ込むのを抑制できる。よって、ろう材に直接電子線が当たるのを抑制でき、放射線１１を発生させるために電子線５を照射させても、真空度の低下はわずかである。
【００３３】
一方、図３のように、電子通過路８の電子入射側の端部とは反対側の開口部における断面の径ｄ１が、電子通過路８の電子入射側の端部における断面の径ｄ２と同じ場合、ろう材が流れ出すと電子通過路８の内壁面に達してしまう。電子通過路８の内壁面にろう材１４ａが付着すると、図１（ｂ）の場合と異なり、流れ出したろう材１４ａに直接電子線が照射される。ろう材は融点がターゲットに比べて低いため、電子線が当たると溶融し、蒸気が発生しやすい。このため、真空度が低下し、電子源から電子の放出が少なくなり、発生する放射線量も減少してしまう。
【００３４】
このように、本実施形態によれば、アノード１０を図１（ｂ）の構成とすることにより、真空度の低下や、それに起因する放射線量の低下を抑制できる。
【００３５】
〔第２の実施形態〕
図２（ａ）を用いて第２の実施形態について説明する。図２（ａ）は本実施形態の放射線発生装置におけるアノードを拡大して表した断面図である。
【００３６】
本実施形態の放射線発生装置は、ターゲット支持面７ｂに、ターゲット支持面７ｂに沿って環状の溝７ｄを設けた点が第１の実施形態と異なる。この点を除いては、第１の実施形態と同じ部材を用い、同じ構成としている。
【００３７】
図２（ａ）の構成では、ターゲット支持面７ｂに、ターゲット支持面７ｂに沿って環状の溝７ｄを設けている。溝７ｄがろう材受け部７ｃを構成しており、溝７ｄの断面形状は矩形状になっている。このため、ターゲット支持面７ｂからろう材が流れたとしても、溝７ｄにろう材が留まるため、電子通過路８の内壁面にまで流れ込むのを抑制できる。よって、ろう材に直接電子線が当たるのを抑制できる。また、図２（ａ）の構成では、溝７ｄを設けることで電子通過路８の内壁面までの距離を長くできる点でより好ましい。
【００３８】
このように、本実施形態によれば、アノード１０を図２（ａ）の構成とすることにより、第１の実施形態と同様に、真空度の低下や、それに起因する放射線量の低下を抑制できる。
【００３９】
〔第３の実施形態〕
図２（ｂ）を用いて第３の実施形態について説明する。図２（ｂ）は本実施形態の放射線発生装置におけるアノードを拡大して表した断面図である。
【００４０】
本実施形態の放射線発生装置は、ターゲット支持面７ｂに、ターゲット支持面７ｂに沿って環状の溝７ｅを設けた点が第１の実施形態と異なる。この点を除いては、第１の実施形態と同じ部材を用い、同じ構成としている。
【００４１】
図２（ｂ）の構成では、ターゲット支持面７ｂに、ターゲット支持面７ｂに沿って環状の溝７ｅを設けている。溝７ｅがろう材受け部７ｃを構成しており、溝７ｅの断面形状は勾配を有する形状になっている。このため、ターゲット支持面７ｂからろう材が流れたとしても、溝７ｅにろう材が留まるため、電子通過路８の内壁面にまで流れ込むのを抑制できる。よって、ろう材に直接電子線が当たるのを抑制できる。また、図２（ｂ）の構成では、溝７ｅを設けることで電子通過路８の内壁面までの距離を長くできる点でより好ましい。
【００４２】
このように、本実施形態によれば、アノード１０を図２（ｂ）の構成とすることにより、第１の実施形態と同様に、真空度の低下や、それに起因する放射線量の低下を抑制できる。
【００４３】
〔第４の実施形態〕
図２（ｃ）を用いて第４の実施形態について説明する。図２（ｃ）は本実施形態の放射線発生装置におけるアノードを拡大して表した断面図である。
【００４４】
本実施形態の放射線発生装置は、ターゲット支持面７ｂから電子通過路８の電子入射側の端部に向かって２つの段差を設けた点が第１の実施形態と異なる。この点を除いては、第１の実施形態と同じ部材を用い、同じ構成としている。
【００４５】
図２（ｃ）の構成では、ｄ１＞ｄ２となるように、ターゲット支持面７ｂから電子通過路８の電子入射側の端部に向かって２つの段差を設けている。第１の段差が第１のろう材受け部７ｃを構成し、第２の段差が第２のろう材受け部７ｆを構成しており、電子通過路８の第２のろう材受け部７ｆにおける断面の径をｄ３とすると、ｄ１、ｄ２、ｄ３の関係は、ｄ１＞ｄ３＞ｄ２である。電子通過路８の断面の径は、ターゲット支持面７ｂから電子通過路８の電子入射側の端部に向かって段差を伴って減少している。このため、ターゲット支持面７ｂからろう材が流れて第１の段差、第２の段差に達したとしても、これらの段差にろう材が留まるため、電子通過路８の、第２の段差よりも電子入射側の内壁面にまで流れ込むのを抑制できる。よって、ろう材に直接電子線が当たるのを抑制できる。
【００４６】
このように、本実施形態によれば、図２（ｃ）の構成とすることにより、第１の実施形態と同様に、真空度の低下や、それに起因する放射線量の低下を抑制できる。
【００４７】
尚、電子通過路８の断面の径は、ターゲット支持面７ｂから電子通過路８の電子入射側の端部まで段差を伴って連続的に減少している構成としても良い。
【００４８】
〔第５の実施形態〕
図２（ｄ）を用いて第５の実施形態について説明する。図２（ｄ）は本実施形態の放射線発生装置におけるアノードを拡大して表した断面図である。
【００４９】
本実施形態の放射線発生装置は、ターゲット支持面７ｂから電子通過路８の電子入射側の端部まで傾斜部７ｇを設けた点が第１の実施形態と異なる。この点を除いては、第１の実施形態と同じ部材を用い、同じ構成としている。
【００５０】
図２（ｄ）の構成では、ｄ１＞ｄ２となるように、ターゲット支持面７ｂから電子通過路８の電子入射側の端部まで傾斜部７ｇを設けている。傾斜部７ｇがろう材受け部の役割を果たす。電子通過路８の断面の径は、ターゲット支持面７ｂから電子通過路８の電子入射側の端部まで連続的に減少している。このため、ターゲット支持面７ｂからろう材が流れて電子通過路８の内壁面に付着したとしても、この付着したろう材に電子線が直接当たるのを抑制できる。
【００５１】
このように、本実施形態によれば、図２（ｄ）の構成とすることにより、第１の実施形態と同様に、真空度の低下や、それに起因する放射線量の低下を抑制できる。
【００５２】
〔第６の実施形態〕
本発明の第６の実施形態は、放射線発生装置を用いた放射線撮影装置（不図示）である。本実施形態の放射線撮影装置は、放射線発生装置、放射線検出器、信号処理部、装置制御部及び表示部を備えている。放射線検出器は信号処理部を介して装置制御部に接続され、装置制御部は表示部及び電圧制御部に接続されている。放射線発生装置としては、第１〜第５の実施形態の放射線発生装置が好適に用いられる。
【００５３】
放射線発生装置における処理は装置制御部によって統括制御される。例えば、装置制御部は放射線発生装置と放射線検出器による放射線撮影を制御する。放射線発生装置から放出された放射線は、被検体を介して放射線検出器で検出され、被検体の放射線透過画像が撮影される。撮影された放射線透過画像は表示部に表示される。また例えば、装置制御部は放射線発生装置の駆動を制御し、電圧制御部を介して放射線放出源に印加される電圧信号を制御する。
【００５４】
本実施形態の放射線撮影装置によれば、第１〜第５の実施形態と同様に、真空度の低下や、それに起因する放射線量の低下を抑制できる。
【実施例】
【００５５】
図１に基づいて、本発明の実施例を説明する。本実施例では、図１（ａ）〜（ｃ）に示す放射線放出源を作製した。作製方法を以下に示す。
【００５６】
高圧合成ダイヤモンドをターゲット基板９ａとして用意した。高圧高温ダイヤモンドは、直径５ｍｍ、厚さ１ｍｍのディスク状（円柱状）の形状である。予め、ＵＶ−オゾンアッシャにより、ダイヤモンドの表面にある有機物を除去した。
【００５７】
このダイヤモンド基板の直径１ｍｍの面の一方の面上に、スパッタ法により、Ａｒをキャリアガスとして、予め、チタン層を形成し、その後、ターゲット膜９ｂとして８μｍの厚さのタングステン層を形成した。このようにして、ターゲット９を得た。
【００５８】
このターゲット９の周囲にチタンを活性金属成分としたメタライズ層を形成し、その上に、銀、銅、チタンからなるろう材を付けた。
【００５９】
一方、放射線遮蔽部材７としてタングステンを用意し、図１（ｂ）のように、ターゲット支持部７ａ、ターゲット支持面７ｂ、ろう材受け部７ｃ、及び電子通過路８を形成した。ターゲット支持部７ａの直径は５．３ｍｍ、電子通過路８の電子入射側の端部とは反対側の開口部における断面の径ｄ１は３．５ｍｍとした。ろう材受け部７ｃの高さは２．０ｍｍ、電子通過路８の電子入射側の端部における断面の径ｄ２は２．０ｍｍとした。
【００６０】
ろう材を付けたターゲット９を、上記のような形状に加工した放射線遮蔽部材７にセットして、８５０℃で焼成し、アノード１０を作製した。
【００６１】
次に、図１に示すように、ターゲット９と放射線遮蔽部材７を一体としたアノード１０を、電子放出部２を有する含浸型の熱電子銃を電子放出源３と対向させて、電子線５が電子通過路８の中に入るように位置決めし、真空封止し、放射線放出源１とした。真空容器６内にはゲッタ１２も配置した。この時、内部の真空度をモニターするために圧力計も設置した。
【００６２】
このようにして、放射線放出源を５個作製し、それぞれ実施例Ｎｏ．１〜５の放射線放出源とした。
【００６３】
［比較例］
比較例として、図３に示す放射線遮蔽部材７を用い、上記実施例と同様のターゲット９を作製した。この後、上記実施例と同様にアノード１０を作製し、その他、同様に比較例のための放射線放出源を作製した。また、同様に、内部の真空度をモニターするために圧力計も設置した。この比較例の放射線放出源も５個作製し、それぞれ比較例Ｎｏ．１〜５の放射線放出源とした。
【００６４】
＜真空度及び放射線量の測定＞
実施例の放射線放出源と比較例の放射線放出源を共に、内圧をモニターしながら、同時に、放射線量を半導体方式の線量計で測定した。駆動は、加速電圧が１００ｋＶで、電流が５ｍＡ、照射時間が１０ｍｓｅｃ、休止時間が９０ｍｓｅｃで行った。別途測定した焦点径のサイズから、電子線の直径は１．７ｍｍであった。
【００６５】
表１に、実施例Ｎｏ．１〜５の放射線放出源と、比較例Ｎｏ．１〜５の放射線放出源のそれぞれの圧力と放射線量の変化を示す。
【００６６】
実施例Ｎｏ．２、Ｎｏ．４、Ｎｏ．５では、内圧がわずかに上昇している。実施例Ｎｏ．１とＮｏ．３では、実施例Ｎｏ．２、Ｎｏ．４、Ｎｏ．５に比べると内圧上昇は大きい。実施例Ｎｏ．１〜５の全てにおいて、線量は初期と同じで、パルス発生回数による線量の低下は見られなかった。
【００６７】
一方、比較例Ｎｏ．２とＮｏ．４では、内圧がわずかに上昇している。比較例Ｎｏ．１、Ｎｏ．３、Ｎｏ．５では、内圧上昇が大きい。比較例Ｎｏ．２、Ｎｏ．４では、パルス発生回数による線量の低下は見られなかったが、比較例Ｎｏ．１、Ｎｏ．３、Ｎｏ．５では、パルス発生回数の増加とともに線量が低下した。
【００６８】
上記結果から、実施例Ｎｏ．２、Ｎｏ．４、Ｎｏ．５、及び比較例Ｎｏ．２とＮｏ．４では、用いたろう材が放射線遮蔽部材７の電子通過路８の内壁面には、流れなかったものと推定される。一方、実施例Ｎｏ．１とＮｏ．３、及び比較例Ｎｏ．１、Ｎｏ．３、Ｎｏ．５では、ろう材が流れ出したものと思われる。比較例Ｎｏ．１、Ｎｏ．３、Ｎｏ．５では、電子線が直接ろう材に当たったため、内圧が上昇し、熱電子の発生量が減少し、線量低下を招いたものと思われる。実施例Ｎｏ．１とＮｏ．３では、電子線が直接当たらなかったため、内圧上昇はあったものの、線量低下を招くほどではなく効果が見られた。
【００６９】
【表１】
2013051153.tif 000003
【符号の説明】
【００７０】
１：放射線放出源、２：電子放出部、３：電子放出源、４：電流導入端子、５：電子線、６：真空容器、７：放射線遮蔽部材、７ａ：ターゲット支持部、７ｂ：ターゲット支持面、７ｃ：ろう材受け部、７ｄ：ターゲット支持面に設けられた溝、７ｅ：ターゲット支持面に設けられた溝、７ｆ：ろう材受け部、７ｇ：放射線遮蔽部材に設けられた傾斜部、８：電子通過路、９：ターゲット、９ａ：ターゲット基板、９ｂ：ターゲット膜、１０：アノード、１１：放射線、１２：ゲッタ、１３：内部空間、１４：ろう材、１４ａ：電子通過路の内壁面に付着したろう材、１５：絶縁油、１６：駆動電源、１７：外囲器、１８：放射線取り出し窓、１９：放射線発生装置
【図１】
2013051153.tif 000004
【図２】
2013051153.tif 000005
【図３】
2013051153.tif 000006